(57)【要約】      （修正有）【課題】全体的な構造強度をより高めるため、容器体の外縁に内壁ガードを形成する設計により、台形嵌合溝の剛性を強化するだけでなく、嵌合片部分の材料を節約して蓋体の高さや材料の厚さを低減でき、また圧迫されて変形するという問題も効果的に回避でき、嵌合式組合せ容器をより強固に組み合わせられる、嵌合式組合せ容器を提供する。【解決手段】嵌合式組合せ容器は、容器体１と蓋体２を組み合わせて成り、蓋体と容器体の相対する側壁に台形嵌合溝２３と折り曲げ嵌合片１３をそれぞれ設け、折り曲げ嵌合片の一端には台形嵌合溝に合致する嵌合部１３２を設け、台形嵌合溝は上部の幅が広く下部の幅が狭い。折り曲げ嵌合片の嵌合部を台形嵌合溝に押し込んできっちり留めると、蓋体は容器体上で緊密に閉合し、外力を受けて圧迫されても分離したり外れたりしにくくなる。【選択図】図１
0003226972.tif 000002
【実用新案登録請求の範囲】
【請求項１】
蓋体であって、前記蓋体底面の周縁が下向きに延伸して成る側壁面に隆起部を形成し、前記側壁面に少なくとも１つの台形嵌合溝を設け、前記台形嵌合溝は溝開口部から溝底部に向かって縮小する蓋体と、
容器体であって、前記容器体は前記蓋体を用いて閉合され、前記蓋体中央には凹状の収容部を有し、前記収容部と前記隆起部は収容空間を構成し、前記容器体頂面の開口周縁内の窪みには前記台形嵌合溝に対応する内壁領域を形成し、前記内壁領域の内側が上向きに延伸した部分は内壁ガードと成り、前記内壁領域が外向きに延伸した部分は折り曲げ嵌合片と成り、前記折り曲げ嵌合片の一端には嵌合部を有し、前記折り曲げ嵌合片の前記嵌合部が前記台形嵌合溝に押し込まれて固定されることにより、前記蓋体と前記容器体は相互に嵌合し、かつ嵌合時に前記台形嵌合溝が前記内壁ガードと前記折り曲げ嵌合片の間に位置する容器体と、
を含む、嵌合式組合せ容器。
【請求項２】
前記容器体頂面の前記開口周縁には前記内壁領域につながり外向きに突出したリブを有し、前記蓋体の前記側壁面底部の周縁には前記リブに対応して外向きに突出した辺縁部を有する、請求項１に記載の嵌合式組合せ容器。
【請求項３】
前記辺縁部は前記蓋体と前記容器体の嵌合時に前記リブをしっかりと挟持する、請求項２に記載の嵌合式組合せ容器。
【請求項４】
前記折り曲げ嵌合片と前記リブのつながる箇所に曲げやすい屈曲部を形成する、請求項２に記載の嵌合式組合せ容器。
【請求項５】
前記折り曲げ嵌合片は前記嵌合部が設けられた一端に嵌合片延伸面を有する、請求項１に記載の嵌合式組合せ容器。
【請求項６】
前記嵌合部の背面には凹状に窪んだ押圧部を設ける、請求項１に記載の嵌合式組合せ容器。
【請求項７】
前記台形嵌合溝は、その相対する両側に形成された突出する受力補強部と、前記受力補強部に挟まれた内側底面の防滑面により構成される、請求項１に記載の嵌合式組合せ容器。
【請求項８】
前記容器体及び前記蓋体は湾曲した形状又は多辺形の構造である、請求項１に記載の嵌合式組合せ容器。
【請求項９】
前記台形嵌合溝の個数は複数であり、前記折り曲げ嵌合片は前記台形嵌合溝の個数に対応する複数の嵌合部を有する、請求項１に記載の嵌合式組合せ容器。
【請求項１０】
前記台形嵌合溝の個数は複数であり、前記折り曲げ嵌合片の個数は複数であり、かつ前記複数の折り曲げ嵌合片は総じて前記台形嵌合溝の個数に対応する複数の嵌合部を有する、請求項１に記載の嵌合式組合せ容器。
【請求項１１】
前記台形嵌合溝の個数は複数であり、前記折り曲げ嵌合片は前記台形嵌合溝に対応する個数を有し、かつ各折り曲げ嵌合片は嵌合部を有する、請求項１に記載の嵌合式組合せ容器。
【請求項１２】
持ち手を含み、前記持ち手の両端にはそれぞれ前記嵌合部を嵌入できる嵌合孔を設け、かつ前記両端の間には把持部を形成する、請求項１に記載の嵌合式組合せ容器。
【考案の詳細な説明】
【技術分野】
【０００１】
本考案は容器体と蓋体を組み合わせて成る組合せ容器に関し、特に、容器体と蓋体を相互に嵌め合わせて結合する嵌合式組合せ容器に関する。
【背景技術】
【０００２】
既存の包装容器の多くはプラスチックやパルプの材質を使用した構造であり、近年は、密閉蓋を付けることにより容器体を密閉できる保存容器又は密閉容器の市場で非常に人気があり、それらは内容物を良好に保存するとともに液体が漏れ出るのを防止でき、用途は非常に幅広く、中でもよく見られるのはプラスチック容器の形式である。
【０００３】
このようなプラスチック容器に求められる重要な事項は、蓋体と容器体を組み合わせた後の頑丈さと安定性である。既知のプラスチック製組合せ容器の多くは、蓋体の周縁に相対するアンダーカット部を設け、容器体周縁の突出した門型フランジ部に合わせるものであるが、このような嵌合構造は通常２通りの事態が発生する。１つ目は嵌め方が緩くて外れやすくなる事態、２つ目はきつく嵌りすぎて分離しにくくなる事態である。組み合わせの１つ目の事態については、蓋体のアンダーカットが当該容器体のフランジ部に合致するが、ホールド力が足りず、全体が外力の圧迫を受けて変形するために外れやすく、次に、蓋体のアンダーカット部の設計は、容器体の重量により、取りだし方法が不適切だと、外れてしまうことがよくある。組み合わせの２つ目の事態については、実施する際によく目にするアンダーカットとフランジ、引っ掛かりのある凸状部と凹部等の構造形式では通常、アンダーカットが深すぎたりフランジが突出しすぎる設計、又は引っ掛かりのある凸状部のサイズが凹部のサイズより明らかに大きい場合、この嵌合構造を組み合わせる際に抵抗力や難しさが生じ、さらには組み合わせた後の容器体や蓋体の変形という事態を招く。特に、力尽くで組み合わせた後は、容器体と蓋体を開いて分離するのが容易ではなくなる。
【０００４】
もう一つの既知の嵌合構造は、凹部と凸部を有するスナップ体であり、この嵌合構造は同じ形状の面と面が接触する際、サイズの差を利用して押し込む組み合わせ方法の設計であり、その抵抗力は大きく、組み合わせや分離が容易ではなく、さらに、凹部と凸部の嵌合構造に押圧方式で力を加えることで、初めはスムーズに組み合わせることができても、関係する構造に押圧補強を施していない場合、実際の使用時に、押圧する力により嵌合構造が変形することが原因で、組み合わせにくくなる。しかし、既知の技術では型から取りだす妨げになることを考慮して密閉のみを目的としたスナップ設計であるため、スナップ体をプラスチック容器の側壁面に設けるという技術から抜け出せない。したがって、既知の嵌合構造が通常抱える、製作過程において型から取りだした後の構造変形、組み合わせや分離が容易にできない、又は嵌合構造に対し力を加えて押圧して組み合わせたり無理に分離したりすることで生じる構造変形等の弊害を克服できない。
【考案の概要】
【考案が解決しようとする課題】
【０００５】
以上の問題に鑑み、本考案の主な目的は、蓋体と容器体の相対する側壁上に折り曲げ嵌合片及び台形嵌合溝をそれぞれ設け、折り曲げ嵌合片の嵌合部を台形嵌合溝に押し込んで嵌合し、さらに容器体外縁に内壁領域を形成する設計により、台形嵌合溝の剛性を効果的に強化し、嵌合片の長さを短縮し、蓋体の高さを低くするとともにその材料の厚さを低減し、材料コストを削減することができる、嵌合式組合せ容器を提供することである。このような嵌合式組合せ容器の構造は頑丈で、組み合わせが簡単であり、組み合わせる際に圧迫されても変形しにくく、嵌合が外れたり分離したりする事態を減らすことができる。
【課題を解決するための手段】
【０００６】
上述の目的を達成するため、本考案が提案する嵌合式組合せ容器は容器体及び蓋体を含む。ここでは、蓋体底面の周縁が下向きに延伸して成る側壁面に隆起部を形成し、側壁面に少なくとも１つの台形嵌合溝を設け、台形嵌合溝は溝開口部から溝底部に向かって縮小し、容器体は蓋体を用いて閉合され、蓋体中央に凹状の収容部を有し、隆起部と収容部は物品を収容するのに用いられる収容空間を構成し、容器体頂面の開口周縁には台形嵌合溝に対応する少なくとも１つの折り曲げ嵌合片を設け、折り曲げ嵌合片の一端には嵌合部を有し、折り曲げ嵌合片の嵌合部が台形嵌合溝に押し込まれて固定されることにより、蓋体と容器体は相互に嵌合する。
【０００７】
本考案の実施例において、容器体頂面の開口周縁には外向きに突出したリブを有し、蓋体の側壁面底部の周縁にはリブに対応して外向きに突出した辺縁部を有する。さらに、辺縁部は蓋体と容器体の嵌合時にリブをしっかりと挟持できる。
【０００８】
本考案の実施例において、リブの折り曲げ嵌合片につながる外縁内の窪みには内壁領域を形成でき、内壁領域の内側が上向きに延伸した部分は内壁ガードと成り、かつ蓋体と容器体の嵌合時、台形嵌合溝は内壁ガードと折り曲げ嵌合片の間に位置する。
【０００９】
本考案の実施例において、折り曲げ嵌合片は嵌合部が設けられた一端に嵌合片延伸面を有し、嵌合部の背面には凹状に窪んだ押圧部を設け、折り曲げ嵌合片とリブのつながる箇所に曲げやすい屈曲部を形成する。
【００１０】
本考案の実施例において、台形嵌合溝は、その相対する両側に形成された受力補強部と、受力補強部に挟まれた内側底面の防滑面により構成される。
【００１１】
本考案の実施例において、容器体及び蓋体は湾曲した形状又は多辺形の構造である。
【００１２】
本考案の実施例において、上述の台形嵌合溝の個数は複数であり、折り曲げ嵌合片は台形嵌合溝の個数に対応する複数の嵌合部を有する。又は、折り曲げ嵌合片の個数は複数であり、かつこれらの折り曲げ嵌合片は総じて台形嵌合溝の個数に対応する複数の嵌合部を有する。又は、折り曲げ嵌合片は台形嵌合溝に対応する個数を有し、かつ各折り曲げ嵌合片は嵌合部を有する。
【００１３】
本考案の実施例において、上述の嵌合式組合せ容器は持ち手をさらに含み、かつ持ち手の両端にはそれぞれ嵌合部を嵌入できる嵌合孔を設け、前記両端の間には把持部を形成する。
【００１４】
本考案の実施例において、容器体の嵌合部と蓋体の台形嵌合溝は入れ替えて設置できる設計であり、ある状況下では、嵌合部は蓋体上に設けられるとともに、容器体上に設けられた対応する台形嵌合溝に組み合わせられ、別の状況下では、嵌合部は容器体上に設けられ、かつ蓋体上に設けられた対応する台形嵌合溝に合わせられる。
【考案の効果】
【００１５】
本考案は、容器体と蓋体の相対する側壁に嵌合構造を設けることにより、容器体と蓋体の構造強度を高め、圧迫されても変形することがなくなる一方、組み合わせの質を確保し、容器体や蓋体の変形が原因で嵌合が外れたり嵌合できなくなるといった事態を招くことがなくなる。また、容器体の外縁には内壁ガードの設計を合わせることにより、折り曲げ嵌合片の長さが短縮されるので、蓋体の高さが低くなり、この内壁ガードは台形嵌合溝の剛性を強化でき、嵌合部と台形嵌合溝を嵌合した後は、外力で圧迫されても分離しにくく、構造全体もより変形しにくく、蓋体にはより厚みの少ない材料を使用できる。したがって、本考案は浅くて薄い蓋という市場のニーズを実現できる。
【００１６】
本考案の詳細な内容及び技術について、図面を併せて以下に説明する。
【図面の簡単な説明】
【００１７】
【図１】本考案第一実施例における分解した嵌合式組合せ容器を示す図である。
【図２】本考案第一実施例における組み合わせた嵌合式組合せ容器を示す図である。
【図３】本考案第一実施例における組み合わせた後の嵌合式組合せ容器の側面断面図である。
【図４】本考案第一実施例における嵌合式組合せ容器の組み合わせ動作を示す図である。
【図５】本考案第一実施例における嵌合式組合せ容器の台形嵌合溝に組み合わせた嵌合部の前面断面図である。
【図６】本考案第一実施例における嵌合式組合せ容器の台形嵌合溝に組み合わせた嵌合部の上面断面図である。
【図７】本考案第二実施例における嵌合式組合せ容器の局部拡大図である。
【図８】本考案第三実施例における嵌合式組合せ容器の持ち手を示す図である。
【図９】本考案第三実施例における嵌合式組合せ容器の使用状況を示す図である。
【考案を実施するための形態】
【００１８】
本考案の嵌合式組合せ容器の技術的特徴を明確に開示するため、以下にいくつかの実施例を挙げて本考案の技術的特徴を詳細に説明する。さらに、同時に図面を用いることにより、これらの技術的特徴を顕彰できる。
【００１９】
まず、本考案第一実施例における嵌合式組合せ容器のすべての要素の具体的構造について詳細に説明するので、図１及び図２を参照されたい。
【００２０】
本実施例において、嵌合式組合せ容器は、パルプ又はプラスチックの材質であり、容器体１と蓋体２の組み合わせから成る（図２を参照）。容器体１の具体的構造は収容部１１、リブ１２及び少なくとも１つの折り曲げ嵌合片１３を含む。凹状の収容部１１は容器体１の中央に成形される。リブ１２は容器体１の頂面開口周縁に成形され、断面が門型に反り返った設計であり、リブ１２外縁内の窪みには内壁領域１４を形成し、内壁領域１４の内側が上向きに延伸した部分は内壁ガード１４１と成り、構造硬度を強化する。折り曲げ嵌合片１３は、本実施例では複数個が相対して位置する設計が採用され、かつリブ１２の内壁領域１４の内側が上向きに延伸して成るものであり、折り曲げ嵌合片１３の末端には嵌合延伸面１３１を有し、かつ嵌合延伸面１３１の表面中央には突出した嵌合部１３２を設け、相対するもう一方の表面には凹状に窪んだ押圧部１３３が自然に形成される。また、折り曲げ嵌合片１３とリブ１２のつながる箇所はプラスチック又はパルプ材質が外側から内側に引き延ばされて薄くなることにより、曲げやすい嵌合片屈曲部１３４を形成する。
【００２１】
蓋体２の具体的構造は出っ張った隆起部２１、辺縁部２２及び少なくとも１つの台形嵌合溝２３を含む。隆起部２１は蓋体２底面２４の周縁が下向きに延伸して成る側壁面２５により形成され、隆起部２１と収容部１１から構成される収容空間は内容物を収容したり盛り付けたりするのに用いられる。辺縁部２２は蓋体２底面の開口周縁に成形され、かつ容器体１のリブ１２に合致して覆うことができる。台形嵌合溝２３は溝開口部から溝底部に向かって縮小する、つまり上部が広くて下部が狭い構造である。本実施例では複数個の台形嵌合溝２３が相対して位置する設計が採用され、かつ蓋体２周縁の側壁面２５に成形されるものであり、台形嵌合溝２３の上方が開口に成るとともに、相対する両側壁面に突出した受力補強部２３１が形成され、蓋体２の硬度を強化でき、重ねられる重さにも耐えられ、変形しにくい。また、２つの受力補強部に挟まれた内側底面は防滑面２３３と成り（図３を参照）、嵌合部１３２を台形嵌合溝２３に嵌め込むと防滑面２３３にしっかり引っ掛かる滑り止め効果が生じ、外れなくなる。
【００２２】
本考案の内壁領域１４が形成した窪んだ空間に関しては、容器体１と蓋体２が嵌合する時、台形嵌合溝２３は容器体１頂面の開口周縁のリブ１２により止められることなく、台形嵌合溝２３の位置は下向きに移動でき、これに伴い折り曲げ嵌合片１３の全長さは短縮し、材料コストを削減できるだけでなく、嵌合片が長すぎて使用者の妨げになる事態を減らすこともできる。構造設計上、蓋体２の基本条件とする高さを低くすることもでき、浅い蓋というニーズが実現される。また、市場価格のニーズに合わせるため、蓋体２にはより薄い材料を使用する必要があるが、そのために、嵌合部１３２を台形嵌合溝２３に押し込んで嵌入させる時に薄すぎる材料が用いられると、台形嵌合溝２３が後ろ向きに潰れて嵌合が困難になる。本考案は内壁ガード１４１の構造を設けることで、台形嵌合溝２３が後ろに潰れる時、内壁ガード１４１によりガードされ、支えが形成されることにより台形嵌合溝２３の剛性を強化でき、市場の薄い材料の蓋体に対するニーズを実現できる。
【００２３】
本考案の第一実施例における嵌合式組合せ容器を組み合わせた状態を説明するので、図３及び図４を参照されたい。
【００２４】
本実施例において、容器体１の折り曲げ嵌合片１３は、嵌合片屈曲部１３４を利用してリブ１２の内壁領域１４と相互連結し、かつ自由に曲げる動作を行える。図３が示すように、嵌合部１３２の凸頂面１３５はプラスチック又はパルプ材質であり、最初の接触面が延伸して折れ曲がる面を形成し、その強度は強く、軽く力を加えれば台形嵌合溝２３内にきっちり嵌入され、かつ変形しにくい。
【００２５】
容器体１と蓋体２を組み合わせる場合、使用者は手指に力を入れて折り曲げ嵌合片１３の押圧部１３３を押圧し、さらに嵌合片屈曲部１３４を利用して簡単に折り曲げるとともに、台形嵌合溝２３に嵌合部１３２を嵌入して固定することで結合することができる。逆に、容器体１と蓋体２を分離したい場合、嵌合延伸面１３１を分離時の受力部として利用すれば、台形嵌合溝２３から嵌合部１３２を楽に外すことができる。
【００２６】
一方、使用時に蓋体２を開けたい場合、通常は嵌合構造中１組のみ折り曲げ嵌合片の嵌合部１３２を相対する台形嵌合溝２３から外さずに残せば、折り曲げ嵌合片の嵌合片屈曲部１３４が蓋体２を連結する役割を果たし、９０度又は１８０度回動でき、嵌合式組合せ容器が開いた状態を形成し、内容物を取り出しやすく、すべての嵌合構造を同時に分離する必要がないので、使用上非常に便利である。
【００２７】
また、容器体１のリブ１２と蓋体２の辺縁部２２の相互に覆って合致させる設計に、本考案の嵌合構造を合わせることにより、緊密に結合することができ、嵌合式組合せ容器にご飯類や麺類等の細かい食材を入れても、ひっくり返すと中身が漏れ出すという心配もなくなる。さらに、本考案の嵌合式組合せ容器を使用する際、嵌合式組合せ容器を反転させて蓋体２と容器体１の上下位置を置き換えても、緊密な結合の組み合わせは達成できる。
【００２８】
本実施例において嵌合部１３２を台形嵌合溝２３中に緊密固定する方法について詳細に説明するので、図５及び図６を参照されたい。
【００２９】
実施する際は、台形嵌合溝２３が嵌合部１３２の嵌合空間を提供し、この空間は２つの相対して突出した形態の受力補強部２３１と内側につながった防滑面２３３（図１及び図３を参照）から構成される窪みであり、嵌合部１３２の直径サイズを台形嵌合溝２３の２つの相対する受力補強部２３１の間の窪みのサイズよりもわずかに大きくすることにより、嵌合部１３２を台形嵌合溝２３に嵌入する時に嵌って固定される効果が得られ、かつ防滑面２３３と互いにしっかり引っ掛って滑り止めとなる。さらに、台形嵌合溝２３の上部が広く下部が狭い構造により、嵌合式組合せ容器が外力で圧迫されると、嵌合部１３２と台形嵌合溝２３は逆に相互にきつく嵌まり、開きにくくなり、緩んで不安定になる事態も起こらない。特に、台形嵌合溝２３の上方は開口であり、受力補強部２３１の側壁面は正の抜き勾配の斜面を有し、製造時に金型に入れたり金型から外ししたりする成形作業が行いやすく、かつこの正の抜き勾配の設計により成形後の離型時に変形することがない（離型により変形すると、嵌合部１３２が嵌入される際、押し込まれて係合する効果が得られにくい）。下方の防滑面２３３により、嵌合式組合せ容器が上下をひっくり返されたり揺さぶられるなどの状態になっても、嵌合部１３２が滑り出たり外れたりすることを回避できる。両側の受力補強部２３１は２つの凸形状により構成され、プレス成形時、曲面が多いために硬度が強化され、嵌合部１３２の押圧嵌合を成し遂げるのに十分な支持力が生じる。
【００３０】
上述の実施例において、台形嵌合溝２３と折り曲げ嵌合片１３の個数は同じであり、１つの折り曲げ嵌合片１３につき１つの嵌合部１３２を有する。しかし、実施する際はこれに限定されず、台形嵌合溝２３の個数は１つまたは複数の設計も可能であり、台形嵌合溝２３の個数が１つである場合はそれに応じて１つの折り曲げ嵌合片１３を設けられ、台形嵌合溝２３の個数が複数の場合はそれに応じて１つ又は複数折り曲げ嵌合片１３を設けられ、各折り曲げ嵌合片１３は１つ又は複数の嵌合部１３２を有することができ、すべての台形嵌合溝２３が対応する嵌合部１３２を有していればよい。言い換えると、すべての折り曲げ嵌合片１３は台形嵌合溝２３の個数すべてに対応する嵌合部１３２を設ける必要がある。
【００３１】
本考案第二実施例における、嵌合式組合せ容器の両側辺に一列に並んだ嵌合構造の嵌合部１３２を有する形態を示す図７を参照されたい。
【００３２】
第一実施例と異なるのは、本実施例では、蓋体１の両側辺にそれぞれ１つの長片状の折り曲げ嵌合片１３を設け、各折り曲げ嵌合片１３は整列配置された複数の嵌合部１３２を有し、これらの嵌合部１３２の合計数は台形嵌合溝２３の個数に対応し、すべての台形嵌合溝２３に１つずつ嵌合するのに十分である。
【００３３】
本考案の第三実施例における嵌合式組合せ容器の持ち手を示す図８と、同実施例の嵌合式組合せ容器の使用状況を示す図９を同時に参照されたい。
【００３４】
本実施例では、嵌合式組合せ容器上に取り付けられる持ち手２６をさらに備え、持ち手２６の両端にはそれぞれ嵌合部１３２を嵌め込む嵌合孔２６１を設け、かつ両端の間には把持部２６２を形成し、使用時、持ち手２６両端の嵌合孔２６１には相対する２つの折り曲げ嵌合片１３の嵌合部１３２がそれぞれ嵌入され、さらに嵌合部１３２が台形嵌合溝２３中に嵌入固定されることにより、使用者が把持部２６２を把持して嵌合式組合せ容器の運搬が行えるようになり、手軽で安全で携帯に便利といった効果が得られる。
【００３５】
上述の複数の実施例において、嵌合式組合せ容器は長方形又は円形の構造の容器体１と相互に合わせる蓋体２から成るが、実施する際はこれに限定されず、容器体１と相互に合わせる蓋体２は任意の幾何形状で構成され、その形状は例えば湾曲した形状、多辺形又は任意の形状の構造でもよい。
【００３６】
上述した以外にも、本考案が提供する嵌合式組合せ容器の構成は多くの異なる形式により実現でき、さまざまな修正や変更が可能である。具体的には、本考案の台形嵌合溝２３、折り曲げ嵌合片１３及び嵌合部１３２はいずれも必要に応じてサイズ、個数、配列方式を自由に変更できる。例えば、嵌合式組合せ容器の周面には折り曲げ嵌合片１３と台形嵌合溝２３の組み合わせを多めに有することができ、蓋体２の構造強度や支持力をより強固なものにでき、さらに容器体１と蓋体２の組み合わせもより強固にできる。もちろん、本考案の蓋体の嵌合部と容器体の台形嵌合溝も入れ替え設置が可能な設計であり、ある状況下では、嵌合部は蓋体上に設けられるとともに、容器体上に設けられた対応する台形嵌合溝に組み合わせられるが、別の状況下では、嵌合部は容器体上に設けられ、かつ蓋体上に設けられた対応する台形嵌合溝に合わせられる。
【００３７】
前述の好ましい実施例をもって以上のように本考案を開示するが、これは本考案を限定するものではなく、当業者は本考案の精神と領域を脱しない範囲内で、いくらかの変更や潤色を加えることができる。したがって、本考案の保護範囲は別途添付される実用新案登録請求の範囲を基準とする。
【符号の説明】
【００３８】
１  容器体
１１  収容部
１２  リブ  １２
１３  折り曲げ嵌合片
１３１  嵌合片延伸面
１３２  嵌合部
１３３  押圧部
１３４  嵌合片屈曲部
１３５  凸頂面
１４  内壁領域
１４１  内壁ガード
２  蓋体
２１  隆起部
２２  辺縁部
２３  台形嵌合溝
２３１  受力補強部
２３３  防滑面
２４  底面
２５  側壁面
２６  持ち手
２６１  嵌合孔
２６２  把持部
【図１】
0003226972.tif 000003
【図２】
0003226972.tif 000004
【図３】
0003226972.tif 000005
【図４】
0003226972.tif 000006
【図５】
0003226972.tif 000007
【図６】
0003226972.tif 000008
【図７】
0003226972.tif 000009
【図８】
0003226972.tif 000010
【図９】
0003226972.tif 000011